(57)【要約】【課題】  テレビジョンのディスプレイとホスト分離装置の提供。【解決手段】  周知の全体が一体のテレビジョンのディスプレイとホスト制御板を分離し、ホスト制御板を総合オーディオビデオホストとなし、テレビジョンスクリーン或いは音響設備のオーディオビデオの増加或いは改変を、いずれも該総合オーディオビデオホストにより達成できるようにしたことを特徴とする。【選択図】        図１
0003107748.tif 000002
【実用新案登録請求の範囲】
【請求項１】
全体が一体のテレビジョンのディスプレイとホスト制御板を分離し、ホスト制御板を総合オーディオビデオホストとなし、テレビジョンスクリーン或いは音響設備のオーディオビデオの増加或いは改変を、いずれも該総合オーディオビデオホストにより達成できるようにしたことを特徴とする、テレビジョンのディスプレイとホスト分離装置。
【請求項２】
請求項１記載のテレビジョンのディスプレイとホスト分離装置において、ホストのホスト板がテレビ画像出力原理により製造され、その技術内容は、周波数逓倍、高解析、高画質、デジタル入出力、ビルトインカードリーダー、ＶＧＡ入出力、デジタルフラットスクリーン接続（ＤＶＩ）ＩＮとＯＵＴ、テレビチューナーイン（ＴＶ−ＴＵＮＥＲ  ＩＮ）とテレビチューナーアウト（ＴＶ−ＴＵＮＥＲ  ＯＵＴ）、画像の入出力、ＲＧＢ出力、ステレオオーディオ入出力（ＳＴＥＲＥＯ  ＡＵＤＩＯ入出力）、ＤＶＤ再生／記録、ＩＲ出力、Ｓ−ＶＨＳ、Ｓ端子、ＡＶ端子、ネットワーク接続ポート等を包含することを特徴とする、テレビジョンのディスプレイとホスト分離装置。
【請求項３】
請求項１記載のテレビジョンのディスプレイとホスト分離装置において、ホストの前面に、電源スイッチ、パネル制御ボタン、ＤＶＤスロット、ディスプレイパネル、ＩＣカードリーダー、ＳＤカードスロット、ＣＦカードスロット、及びＳＭカードスロット、カード読み書き制御板、Ｓ−ＶＨＳ，Ｓｔｅｒｅｏ  Ａｕｄｉｏ，Ｖ  及びマイクロホン端子を具えたことを特徴とする、テレビジョンのディスプレイとホスト分離装置。
【請求項４】
請求項１記載のテレビジョンのディスプレイとホスト分離装置において、ホストの後面に、電源線、ＶＧＡ接続ポート、ＤＶＩ接続ポート、電話或いはネットワーク接続ポート、無線デジタルビデオ接続ポート、ＲＣＢ出力ジャック、Ｃａｂｌｅ  Ｉｎ及びＴＶ  Ｏｕｔが設けられたことを特徴とする、テレビジョンのディスプレイとホスト分離装置。
【考案の詳細な説明】
【技術分野】
【０００１】
本考案は一種のテレビジョンのディスプレイとホスト分離装置に係り、特に、スクリーンを制御するホスト板を分離し、アダプタにより独立操作できるようにし、異なるテレビジョンスクリーン、或いはその他のオーディオビデオ設備に随時交換できるようにする、テレビジョンのディスプレイとホスト分離装置に関する。
【背景技術】
【０００２】
テレビジョンの発明以来、関係業者は不断に研究改良を行ない、オーディオビデオ伝送を最高レベルに向上することを目指し、白黒テレビからカラーテレビ、球形スクリーンからフラットスクリーン、アナログ信号からデジタル信号、重厚なテレビから薄型テレビへの変遷をたどってきた。しかし薄型テレビの重量は依然として非常に重く、機能も強化が待たれている。伝統的に使用されてきたＣＲＴテレビ或いは新型の背面投写型テレビ（ＣＲＴ）、更には現在流行しているプラズマテレビ（ＰＤＰ）或いは液晶テレビ（ＴＦＴ
ＴＶ）に至るまで、そのホスト制御板とコントローラーはいずれもスクリーンの後方或いは下方に設けられ、全体が一体に形成され、その結果、スクリーン厚さが増し、全体重量も増加し、且つ修理にも不便であった。
【考案の開示】
【考案が解決しようとする課題】
【０００３】
本考案の主要な目的は、前述のＣＲＴテレビ或いは新型の背面投写型テレビ（ＣＲＴ）、更には現在流行しているプラズマテレビ（ＰＤＰ）或いは液晶テレビ（ＴＦＴ  ＴＶ）に至るまで、その構造上、スクリーンとホスト制御板とが一体に連設され全体が一体とされているために、体積が膨大となり、重量が軽くなく、修理に不便である欠点を解決する一種のテレビジョンのディスプレイとホスト分離装置を提供することにある。それは、ディスプレイとオーディオビデオホスト制御板の二大部分を分離し、即ちオーディオビデオホスト制御板を独立ユニットとして設置し、ディスプレイから独立させ、これにより、テレビスクリーンのオーディオビデオの増加或いは改変を、この独立したオーディオビデオホストの操作により達成できるようにし、該オーディオビデオホストのホスト板をテレビ画像出力原理により製造し、その技術内容は、周波数逓倍、高解析、高画質、デジタル入出力、ビルトインカードリーダー（ＩＣカード、ＣＦカード、ＳＤカード、ＳＭカード、ＭＳカード等）、ＶＧＡ入出力、デジタルフラットスクリーン接続（ＤＶＩ）ＩＮとＯＵＴ、テレビチューナーイン（ＴＶ−ＴＵＮＥＲ  ＩＮ）とテレビチューナーアウト（ＴＶ−ＴＵＮＥＲ  ＯＵＴ）、画像の入出力、ＲＧＢ出力、ステレオオーディオ入出力（ＳＴＥＲＥＯ  ＡＵＤＩＯ入出力）、ＤＶＤ再生／記録、ＩＲ出力、Ｓ−ＶＨＳ、Ｓ端子、ＡＶ端子、ネットワーク接続ポート等を包含し、最も重要なことは、周知のテレビのオーディオビデオホスト板とテレビスクリーンを分離して、ディスプレイを薄く軽くし、且つ多くの異なる表示機能を加えられるようにし、更には製造メーカーのテレビ或いはディスプレイの拘束規範に捕らわれないようにし、修理が必要な時に簡単にオーディオビデオホストを携帯して修理に出すことができるようにし、ディスプレイを伴うことによる不都合を排除し、簡単便利とすることである。
【課題を解決するための手段】
【０００４】
請求項１の考案は、全体が一体のテレビジョンのディスプレイとホスト制御板を分離し、ホスト制御板を総合オーディオビデオホストとなし、テレビジョンスクリーン或いは音響設備のオーディオビデオの増加或いは改変を、いずれも該総合オーディオビデオホストにより達成できるようにしたことを特徴とする、テレビジョンのディスプレイとホスト分離装置としている。
請求項２の考案は、請求項１記載のテレビジョンのディスプレイとホスト分離装置において、ホストのホスト板がテレビ画像出力原理により製造され、その技術内容は、周波数逓倍、高解析、高画質、デジタル入出力、ビルトインカードリーダー、ＶＧＡ入出力、デジタルフラットスクリーン接続（ＤＶＩ）ＩＮとＯＵＴ、テレビチューナーイン（ＴＶ−ＴＵＮＥＲ  ＩＮ）とテレビチューナーアウト（ＴＶ−ＴＵＮＥＲ  ＯＵＴ）、画像の入出力、ＲＧＢ出力、ステレオオーディオ入出力（ＳＴＥＲＥＯ  ＡＵＤＩＯ入出力）、ＤＶＤ再生／記録、ＩＲ出力、Ｓ−ＶＨＳ、Ｓ端子、ＡＶ端子、ネットワーク接続ポート等を包含することを特徴とする、テレビジョンのディスプレイとホスト分離装置としている。
請求項３の考案は、請求項１記載のテレビジョンのディスプレイとホスト分離装置において、ホストの前面に、電源スイッチ、パネル制御ボタン、ＤＶＤスロット、ディスプレイパネル、ＩＣカードリーダー、ＳＤカードスロット、ＣＦカードスロット、及びＳＭカードスロット、カード読み書き制御板、Ｓ−ＶＨＳ，Ｓｔｅｒｅｏ  Ａｕｄｉｏ，Ｖ  及びマイクロホン端子を具えたことを特徴とする、テレビジョンのディスプレイとホスト分離装置としている。
請求項４の考案は、請求項１記載のテレビジョンのディスプレイとホスト分離装置において、ホストの後面に、電源線、ＶＧＡ接続ポート、ＤＶＩ接続ポート、電話或いはネットワーク接続ポート、無線デジタルビデオ接続ポート、ＲＣＢ出力ジャック、Ｃａｂｌｅ  Ｉｎ及びＴＶ  Ｏｕｔが設けられたことを特徴とする、テレビジョンのディスプレイとホスト分離装置としている。
【考案の効果】
【０００５】
本考案はディスプレイとホスト制御板を分離使用し、スクリーン厚さを最低にまで減らすことができ、本来１０−１４ｃｍのものを３−６ｃｍに縮小でき、その重量も有効に減らすことができ、また、分離したオーディオビデオホスト制御板を総合オーディオビデオホストに設計し、現在の全ての技術を整合するほか、並びに３Ｄ立体機能を加えて、全てのオーディオビデオ音声出力時に、随意に変換表示できるようにしている。本考案の構造は従来にはなく、新規性と進歩性を有し、その機能は向上され、実用価値を有している。
【考案を実施するための最良の形態】
【０００６】
本考案の構造の使用及び機能の特徴について以下に図を参照しながら詳細に説明する。
【０００７】
本考案のテレビジョンのディスプレイとホスト分離装置は、周知のテレビジョン構造において一体とされていたディスプレイとホスト制御板を分離し、分離したホスト制御板を総合オーディオビデオホスト１となし（図１）、該総合オーディオビデオホスト１は図２に示されるように、正面に、電源スイッチ１１、パネル制御ボタン１２、ＤＶＤスロット１３、ディスプレイパネル１４、ＩＣカードリーダー１５を具えるほか、ＳＤカードスロット１５１、ＣＦカードスロット１５２、及びＳＭカードスロット、カード読み書き制御板１６、Ｓ−ＶＨＳ，Ｓｔｅｒｅｏ  Ａｕｄｉｏ，Ｖ  １７及びマイクロホン端子１８を具えている。また、後面には図３に示されるように、電源線２１、ＶＧＡ接続ポート２２、ＤＶＩ接続ポート２３、電話或いはネットワーク接続ポート２４、無線デジタルビデオ接続ポート２５、ＲＣＢ出力ジャック２６、Ｃａｂｌｅ  Ｉｎ２７及びＴＶ  Ｏｕｔ２８が設けられ、プロジェクタ、プラズマテレビ（ＰＤＰ）、液晶ディスプレイ（ＴＦＴ）、液晶デジタルテレビジョンスクリーン、衛生アンテナ、電気信号サーバー及びネットワークブラウザ等の接続に供される。
【０００８】
本考案は並びにテレビジョンのオーディオビデオホスト板とコントローラの全てに対して新たに研究し設計を改良し、そのホスト板を既存のテレビ及び全てのディスプレイと相容するものとし、デジタル周波数逓倍高解析機能を、並びに３Ｄ立体機能等を設け、並びにホスト板に外接用の接続ポートのほかに、直接オンライン或いはデジタルテレビ視聴可能としている。デジタルテレビ視聴時には有線或いは無線で接続しなければならず、ゆえにＩＣカードリーダーの認証機能がビルトインされ、及び、有線或いは無線のデジタルビデオ接続ポートが外接され、信号受信の選択を増している。このほか、ＤＶＤプレイヤーと相容するカードリーダーを全て一体に設計し、その機能をもはや一台の簡単のテレビジョンスクリーンオーディオビデオホストではないものとしている。本考案の総合オーディオビデオホストは、記録機能、３Ｄ立体効果、再生機能、各種のメモリカード解読、映画、写真、及び直接プロジェクタと接続できる機能等を具えているのみならず、テレビゲーム機で遊ぶ時に自在に操作でき、３Ｄ立体に変換する場合はその効果は更にリアルであり、テクノロジーと娯楽を一体にする。
【図面の簡単な説明】
【０００９】
【図１】本考案の正面及び背面立体図である。
【図２】本考案の正面図である。
【図３】本考案の背面図である。
【符号の説明】
【００１０】
１  ホスト
１１  電源スイッチ
１２  パネル制御ボタン
１３  ＤＶＤスロット
１４  ディスプレイパネル
１５  ＩＣカードリーダー
１５１  ＳＤカードスロット
１５２  ＣＦカードスロット
１５３  ＳＭカードスロット
１６  カード読み書き制御板
１７  Ｓ−ＶＨＳ，Ｓｔｅｒｅｏ  Ａｕｄｉｏ，Ｖ
１８  マイクロホン端子
２１  電源線
２２  ＶＧＡ接続ポート
２３  ＤＶＩ  接続ポート
２４  電話或いはネットワーク接続ポート
２５  無線デジタルビデオ接続ポート
２６  ＲＣＢ出力ジャック
２７  Ｃａｂｌｅ  Ｉｎ
２８  ＴＶ  Ｏｕｔ
【図１】
0003107748.tif 000003
【図２】
0003107748.tif 000004
【図３】
0003107748.tif 000005
【手続補正書】
【提出日】平成16年11月4日(2004.11.4)
【手続補正１】
【補正対象書類名】実用新案登録請求の範囲
【補正対象項目名】全文
【補正方法】変更
【補正の内容】
【実用新案登録請求の範囲】
【請求項１】
テレビジョンより制御板を分離して、該制御板を総合オーディオビデオ制御装置となし、テレビジョンスクリーン或いは音響設備を接続するための端子を設けたことを特徴とする、総合オーディオビデオ制御装置。
【請求項２】
請求項１記載の総合オーディオビデオ制御装置において、ビルトインカードリーダーとデジタルビデオディスク再生／記録装置を具えるほか、ＶＧＡ入出力端子、デジタルフラットスクリーン接続（ＤＶＩ）ＩＮとＯＵＴ端子、テレビチューナーイン（ＴＶ−ＴＵＮＥＲ  ＩＮ）端子とテレビチューナーアウト（ＴＶ−ＴＵＮＥＲ  ＯＵＴ）端子、画像の入出力端子、ＲＧＢ出力、ステレオオーディオ入出力（ＳＴＥＲＥＯ  ＡＵＤＩＯ入出力）端子、ＩＲ出力端子、Ｓ−ＶＨＳ端子、Ｓ端子、ＡＶ端子、ネットワーク接続ポートを具えたことを特徴とする、総合オーディオビデオ制御装置。
【請求項３】
請求項１記載の総合オーディオビデオ制御装置において、前面に、電源スイッチ、パネル制御ボタン、デジタルビデオディスクスロット、ディスプレイパネル、ＩＣカードリーダー、メモリカードスロット、カード読み書き制御板、Ｓ−ＶＨＳ端子，Ｓｔｅｒｅｏ  Ａｕｄｉｏ，Ｖ端子及びマイクロホン端子を具えたことを特徴とする、総合オーディオビデオ制御装置。
【請求項４】
請求項１記載の総合オーディオビデオ制御装置において、後面に、電源線、ＶＧＡ接続ポート、ＤＶＩ接続ポート、電話或いはネットワーク接続ポート、無線デジタルビデオ接続ポート、ＲＣＢ出力ジャック、Ｃａｂｌｅ  Ｉｎ及びＴＶ  Ｏｕｔ端子が設けられたことを特徴とする、総合オーディオビデオ制御装置。
【手続補正２】
【補正対象書類名】明細書
【補正対象項目名】全文
【補正方法】変更
【補正の内容】
【考案の詳細な説明】
【技術分野】
【０００１】
本考案は一種の総合オーディオビデオ制御装置に係り、特に、テレビジョンより制御板を分離して独立操作できるようにし、異なるテレビジョン、或いはその他のオーディオビデオ設備に随時接続してその制御を行なえるようにした、総合オーディオビデオ制御装置に関する。
【背景技術】
【０００２】
テレビジョンの発明以来、関係業者は不断に研究改良を行ない、オーディオビデオ伝送を最高レベルに向上することを目指し、白黒テレビからカラーテレビ、球形スクリーンからフラットスクリーン、アナログ信号からデジタル信号、重厚なテレビから薄型テレビへの変遷をたどってきた。しかし薄型テレビの重量は依然として非常に重く、機能も強化が待たれている。伝統的に使用されてきたＣＲＴテレビ或いは新型の背面投写型テレビ（ＣＲＴ）、更には現在流行しているプラズマテレビ（ＰＤＰ）或いは液晶テレビ（ＴＦＴ  ＴＶ）に至るまで、その制御板とコントローラーはいずれもスクリーンの後方或いは下方に設けられ、全体が一体に形成され、その結果、テレビ厚さが増し、全体重量も増加し、且つ修理にも不便であった。
【考案の開示】
【考案が解決しようとする課題】
【０００３】
本考案の主要な目的は、前述のＣＲＴテレビ或いは新型の背面投写型テレビ（ＣＲＴ）、更には現在流行しているプラズマテレビ（ＰＤＰ）或いは液晶テレビ（ＴＦＴ  ＴＶ）に至るまで、その構造上、スクリーンと制御板とが一体に連設され全体が一体とされているために、体積が膨大となり、重量が軽くなく、修理に不便である欠点を解決する一種の総合オーディオビデオ制御装置を提供することにある。それは、ディスプレイとオーディオビデオ制御板の二大部分を分離し、即ちオーディオビデオ制御板を総合オーディオビデオ制御装置として独立ユニットとして設置し、テレビジョンより独立させ、これにより、テレビスクリーン或いはオーディオビデオ装置の増加或いは改変を、この独立したオーディオビデオ装置の操作により達成できるようにし、該総合オーディオビデオ制御装置は、周波数倍増、高解析、高画質、デジタル入出力の技術を利用して製造され、ビルトインカードリーダー、デジタルビデオディスク再生／記録装置を具えているほか、ＶＧＡ入出力、デジタルフラットスクリーン接続（ＤＶＩ）ＩＮとＯＵＴ、テレビチューナーイン（ＴＶ−ＴＵＮＥＲ  ＩＮ）とテレビチューナーアウト（ＴＶ−ＴＵＮＥＲ  ＯＵＴ）、画像の入出力、ＲＧＢ出力、ステレオオーディオ入出力（ＳＴＥＲＥＯ  ＡＵＤＩＯ入出力）、ＩＲ出力、Ｓ−ＶＨＳの各端子、Ｓ端子、ＡＶ端子、ネットワーク接続ポート等を包含する。本発明は周知のテレビより制御板を分離して総合オーディオビデオ制御装置とすることで、テレビジョンを薄く軽くすると共に、総合オーディオビデオ制御装置を分離されたテレビジョンスクリーンに接続することで、多くの異なる表示機能を加えられるようにし、更には製造メーカーのテレビ或いはディスプレイの拘束規範に捕らわれないようにし、修理が必要な時に簡単に総合オーディオビデオ制御装置を修理に出すことができるようにし、制御装置とスクリーンが一体とされたテレビを修理に出す不都合を排除し、簡単便利とすることである。
【課題を解決するための手段】
【０００４】
請求項１の考案は、テレビジョンより制御板を分離して、該制御板を総合オーディオビデオ制御装置となし、テレビジョンスクリーン或いは音響設備を接続するための端子を設けたことを特徴とする、総合オーディオビデオ制御装置としている。
請求項２の考案は、請求項１記載の総合オーディオビデオ制御装置において、ビルトインカードリーダーとデジタルビデオディスク再生／記録装置を具えるほか、ＶＧＡ入出力端子、デジタルフラットスクリーン接続（ＤＶＩ）ＩＮとＯＵＴ端子、テレビチューナーイン（ＴＶ−ＴＵＮＥＲ  ＩＮ）端子とテレビチューナーアウト（ＴＶ−ＴＵＮＥＲ  ＯＵＴ）端子、画像の入出力端子、ＲＧＢ出力、ステレオオーディオ入出力（ＳＴＥＲＥＯ  ＡＵＤＩＯ入出力）端子、ＩＲ出力端子、Ｓ−ＶＨＳ端子、Ｓ端子、ＡＶ端子、ネットワーク接続ポートを具えたことを特徴とする、総合オーディオビデオ制御装置としている。
請求項３の考案は、請求項１記載の総合オーディオビデオ制御装置において、前面に、電源スイッチ、パネル制御ボタン、デジタルビデオディスクスロット、ディスプレイパネル、ＩＣカードリーダー、メモリカードスロット、カード読み書き制御板、Ｓ−ＶＨＳ端子，Ｓｔｅｒｅｏ  Ａｕｄｉｏ，Ｖ端子及びマイクロホン端子を具えたことを特徴とする、総合オーディオビデオ制御装置としている。
請求項４の考案は、請求項１記載の総合オーディオビデオ制御装置において、後面に、電源線、ＶＧＡ接続ポート、ＤＶＩ接続ポート、電話或いはネットワーク接続ポート、無線デジタルビデオ接続ポート、ＲＣＢ出力ジャック、Ｃａｂｌｅ  Ｉｎ及びＴＶ  Ｏｕｔ端子が設けられたことを特徴とする、総合オーディオビデオ制御装置としている。
【考案の効果】
【０００５】
本考案はテレビジョンより制御板を分離することで、テレビの厚さを最低にまで減らすことができ、本来１０−１４ｃｍのものを３−６ｃｍに縮小でき、その重量も有効に減らすことができ、また、分離したオーディオビデオ制御板を総合オーディオビデオ制御装置に設計し、現在の全ての技術を整合するほか、並びに３Ｄ立体機能を加えて、全てのオーディオビデオ音声出力時に、随意に変換表示できるようにしている。本考案の構造は従来にはなく、新規性と進歩性を有し、その機能は向上され、実用価値を有している。
【考案を実施するための最良の形態】
【０００６】
本考案の構造の使用及び機能の特徴について以下に図を参照しながら詳細に説明する。
【０００７】
本考案の総合オーディオビデオ制御装置、周知のテレビジョン構造において一体とされていたディスプレイと制御板を分離し、分離した制御板を総合オーディオビデオ制御装置１となし（図１）、該総合オーディオビデオ制御装置１は図２に示されるように、正面に、電源スイッチ１１、パネル制御ボタン１２、デジタルビデオディスクスロット１３、ディスプレイパネル１４、ＩＣカードリーダー１５を具えるほか、三種類のメモリカードスロット１５１、１５２、１５３、カード読み書き制御板１６、Ｓ−ＶＨＳ，Ｓｔｅｒｅｏ  Ａｕｄｉｏ，Ｖ  １７及びマイクロホン端子１８を具えている。また、後面には図３に示されるように、電源線２１、ＶＧＡ接続ポート２２、ＤＶＩ接続ポート２３、電話或いはネットワーク接続ポート２４、無線デジタルビデオ接続ポート２５、ＲＣＢ出力ジャック２６、Ｃａｂｌｅ  Ｉｎ２７及びＴＶ  Ｏｕｔ２８が設けられ、プロジェクタ、プラズマテレビ（ＰＤＰ）、液晶ディスプレイ（ＴＦＴ）、液晶デジタルテレビジョンスクリーン、衛生アンテナ、電気信号サーバー及びネットワークブラウザ等の接続に供される。
【０００８】
本考案は並びにテレビジョンのオーディオビデオ制御板とコントローラの全てに対して新たに研究し設計を改良し、その制御板を既存のテレビ及び全てのディスプレイと相容するものとし、デジタル周波数逓倍高解析機能を、並びに３Ｄ立体機能等を設け、並びに制御板に外接用の接続ポートのほかに、直接オンライン或いはデジタルテレビ視聴可能としている。デジタルテレビ視聴時には有線或いは無線で接続しなければならず、ゆえにＩＣカードリーダーの認証機能がビルトインされ、及び、有線或いは無線のデジタルビデオ接続ポートが外接され、信号受信の選択を増している。このほか、デジタルビデオディスクプレイヤーと相容するカードリーダーを全て一体に設計し、その機能をもはや一台の簡単のテレビジョンスクリーンオーディオビデオ制御板ではないものとしている。本考案の総合オーディオビデオ制御装置は、記録機能、３Ｄ立体効果、再生機能、各種のメモリカード解読、映画、写真、及び直接プロジェクタと接続できる機能等を具えているのみならず、テレビゲーム機で遊ぶ時に自在に操作でき、３Ｄ立体に変換する場合はその効果は更にリアルであり、テクノロジーと娯楽を一体にする。
【図面の簡単な説明】
【０００９】
【図１】本考案の正面及び背面立体図である。
【図２】本考案の正面図である。
【図３】本考案の背面図である。
【符号の説明】
【００１０】
１  総合オーディオビデオ制御装置
１１  電源スイッチ
１２  パネル制御ボタン
１３  デジタルビデオディスクスロット
１４  ディスプレイパネル
１５  ＩＣカードリーダー
１５１  メモリカードスロット
１５２  メモリカードスロット
１５３  メモリカードスロット
１６  カード読み書き制御板
１７  Ｓ−ＶＨＳ，Ｓｔｅｒｅｏ  Ａｕｄｉｏ，Ｖ
１８  マイクロホン端子
２１  電源線
２２  ＶＧＡ接続ポート
２３  ＤＶＩ  接続ポート
２４  電話或いはネットワーク接続ポート
２５  無線デジタルビデオ接続ポート
２６  ＲＣＢ出力ジャック
２７  Ｃａｂｌｅ  Ｉｎ
２８  ＴＶ  Ｏｕｔ
【手続補正３】
【補正対象書類名】図面
【補正対象項目名】図２
【補正方法】変更
【補正の内容】
【図２】
0003107748.tif 000006